(57)【特許請求の範囲】
【請求項１】
前部を開口した箱状の販売機本体と、
前記販売機本体の前部開口を開閉する前扉と、
前記販売機本体の内部に、前後２列となるよう配された複数の商品収納コラムと、を備え、
前列の前記商品収納コラムを前記前扉に固定し、
前列の前記商品収納コラムの商品排出通路を、前記前扉と前列の前記商品収納コラムとの間に上下へ延びるよう形成するとともに、
後列の前記商品収納コラムの商品排出通路を、前記販売機本体の背面と後列の前記商品収納コラムとの間に上下へ延びるよう形成し、
前記前扉は、前列の前記商品収納コラムの前記商品排出通路よりも前側の位置に形成された中空部を有し、
前記各商品排出通路内の空気と、前記前扉の前記中空部内の空気と、を流通させるファン装置を備え、
前記ファン装置は、前記販売機本体の下部に設けられ該販売機本体の外部から空気を吸引する吸気ファンと、前記販売機本体の上部に設けられ該販売機本体の外部へ空気を送出する排気ファンと、前記前扉の背面下側に設置され前記販売機本体内の空気を前記前扉の前記中空部内へ送出する送出ファンと、を含み、前記商品排出通路内の空気と、前記前扉の前記中空部内の空気と、をそれぞれ下方から上方へ流通させ、
前記排気ファンを、前列の前記商品収納コラムの前記商品排出通路と後列の前記商品収納コラムの前記商品排出通路とで別個に設け、前記商品排出通路ごとに独立して空気の流量を制御することを特徴とする自動販売機。
【請求項２】
前記吸気ファンを、前記販売機本体の下面の中央部に設けたことを特徴とする請求項１に記載の自動販売機。
【請求項３】
前記販売機本体の前部開口の少なくとも一部を塞ぐ断熱部材を備えたことを特徴とする請求項１または２のいずれか一項に記載の自動販売機。
【請求項４】
前記販売機本体の少なくとも一面の外側に取り付けられた断熱構造板を備えたことを特徴とする請求項１から３のいずれか一項に記載の自動販売機。
【請求項５】
前記断熱構造板は真空断熱材を含むことを特徴とする請求項４に記載の自動販売機。
【発明の詳細な説明】
【技術分野】
【０００１】
本発明は、箱状の販売機本体内に配される複数の商品収納コラムを備えた自動販売機に関する。
【背景技術】
【０００２】
たばこ等の自動販売機では、箱状の販売機本体の内部に、商品を収納する商品収納コラムが設けられたものが一般的である。販売機本体の前面は開口し、この開口を開閉する前扉が設けられる（例えば、特許文献１参照）。商品収納コラムは、前扉の裏側と、販売機本体の奥側に左右方向に並んで配される。そして、前扉に設置される商品収納コラムと、販売機本体の奥側に設置される商品収納コラムとの間に、共通の商品排出通路が上下に延びるよう形成される。
【０００３】
各商品収納コラムには、商品が上下に積層して収納され、利用者により選択されると最下位の商品から商品排出通路へ順次払い出される。商品排出通路へ払い出された商品は、自重により落下して商品取出口まで案内される。各商品収納コラムの商品排出通路側には、商品の商品排出通路への脱落を防止する板状の扉が設けられており、各扉により商品排出通路の壁面をなすよう構成される。
【０００４】
この自動販売機では、前扉を販売機本体に対して回動させることにより、各商品収納コラムの商品排出通路側が開放される。そして、各扉を移動させると商品収納コラムの本体部分が出現し、商品を装填可能な状態となる。
【特許文献１】特開平１０−２３２９７０号公報
【発明の開示】
【発明が解決しようとする課題】
【０００５】
ところで、前記自動販売機では、商品収納コラムに収納されている商品は、利用者に購入されるまで商品収納コラム内の温度で保持される。このとき、商品は、商品収納コラムに加えて販売機本体に覆われているので品質上問題が生じることはない。しかし、自動販売機の設置環境により前扉及び販売機本体の温度が変動すると、商品収納コラム内の商品の温度も少なからず変動することとなる。商品の品質保証期間であっても、温度変化を小さくした方が商品の保存に好適で品質管理上有利である。そこで、商品装填時の作業性を損なったり、販売機本体が大型化しない範囲での品質管理性能のさらなる向上が望まれている。
【０００６】
本発明は、前記事情に鑑みてなされたものであり、その目的とするところは、商品装填時の作業性を損なったり、大型化を伴うことなく、収納されている商品の品質管理性能を向上させることのできる自動販売機を提供することにある。
【課題を解決するための手段】
【０００７】
前記目的を達成するため、本発明では、自動販売機において、
前部を開口した箱状の販売機本体と、
前記販売機本体の前部開口を開閉する前扉と、
前記販売機本体の内部に、前後２列となるよう配された複数の商品収納コラムと、を備え、
前列の前記商品収納コラムを前記前扉に固定し、
前列の前記商品収納コラムの商品排出通路を、前記前扉と前列の前記商品収納コラムとの間に上下へ延びるよう形成するとともに、
後列の前記商品収納コラムの商品排出通路を、前記販売機本体の背面と後列の前記商品収納コラムとの間に上下へ延びるよう形成したことを特徴とする。
【０００８】
本発明の自動販売機によれば、前側の商品排出通路が前扉と前列の商品収納コラムとの間に形成されたので、前扉と前列の商品収納コラムが商品排出通路の分だけ隔離され、前扉から前列の商品収納コラムへの直接的な伝熱が防止される。これにより、外部から前扉に熱量が付与されたり、外部へ前扉から熱量が放出されたりして前扉の温度が変化したとしても、商品収納コラムの温度にさほど影響はない。
また、後側の商品排出通路が販売機本体の背面と後列の商品収納コラムとの間に形成されたので、販売機本体の背面と後列の商品収納コラムも商品排出通路の分だけ隔離され、販売機本体の背面から後列の商品収納コラムへの直接的な伝熱が防止される。これにより、外部から販売機本体の背面に熱量が付与されたり、外部へ背面から熱量が放出されたりして背面の温度が変化したとしても、商品収納コラムの温度にさほど影響はない。
【０００９】
従って、外界の天候等の影響により、前扉及び販売機本体が加熱又は冷却されたとしても、商品収納コラムの温度変化を抑制することができる。この結果、商品収納コラム内に収納されている商品の温度も大きく変動することはなく、収納商品を良好な状態で保存することができる。
【００１０】
ここで、前扉を移動して販売機本体の前部開口を開放させると、前列の商品収納コラムが前扉とともに移動するので、前列と後列の商品収納コラムが離隔して商品装填が可能となる。これにより、商品の商品収納コラムへの装填作業は、各商品収納コラムにおける商品排出通路と反対側を開放して行うことができる。従って、商品装填時の作業性が極めて良好である。
【００１１】
また、上記自動販売機において、
前記各商品排出通路内の空気を、該商品排出通路の一方から他方へ流通させるファン装置を備えた構成とすることができる。
【００１２】
この自動販売機によれば、ファン装置により各商品排出通路の空気が流通することから、商品排出通路内の空気を介した前扉並びに販売機本体の背面と各商品収納コラムとの間の熱伝達をも抑制される。すなわち、流通空気がエアカーテンとして機能することから、商品収納コラム側の温度を略一定に保つことができる。さらに、直射日光等により、前扉並びに販売機本体の背面が過度に加熱された場合は、これらの空冷作用をも得ることができる。
【００１３】
また、上記自動販売機において、
前記ファン装置は、前記商品排出通路内の空気を下方から上方へ流通させる構成とすることができる。
【００１４】
ここで、自動販売機は屋外に設置されることが多く、屋外にて上部及び側部が直射日光等により加熱されて、前扉及び販売機本体の温度が上昇する。すなわち、自動販売機全体として、下方に比して上方の温度が高いことが多い。
このような場合に商品排出通路内の空気を下方から上方へ流通させることにより、温度の低い領域から高い領域へ空気を流通させることができ、空気と販売機各所とで効率良く熱交換を行うことができる。また、商品排出通路内にて熱交換により加熱された空気は、比重が小さくなって自然に上方へと向かうことから、この自然対流の流れ方向とファン装置による空気の送出方向とを一致させることにより、ファン装置への負荷を低減することができる。
【００１５】
また、上記自動販売機において、
前記ファン装置は、販売機本体の下部に設けられ該販売機本体の外部から空気を吸引する吸気ファンを含む構成とすることができる。
【００１６】
この自動販売機によれば、吸気ファンにより各商品排出通路内へ販売機本体の下部外側から空気が導入されて、販売機本体の上部から外側へ空気が排出される。このとき、吸気ファンの設置箇所にて局所的に外部から空気が吸引されるので、吸気ファンの設置箇所にエアフィルタ等の塵埃除去部材を設けておけば、販売機本体内への塵埃の侵入を阻止することができる。
【００１７】
また、上記自動販売機において、
前記ファン装置は、販売機本体の上部に設けられ該販売機本体の外部へ空気を送出する排気ファンを含む構成とすることができる。
【００１８】
この自動販売機によれば、排気ファンにより各商品排出通路内の空気が販売機本体の外部へ排出される。これにより、各商品排出通路の下端側では吸気ファンにより空気に流速が付与され、上端側では排気ファンにより空気に流速が付与されることから、商品排出通路内の空気の流れを安定させることができる。
【００１９】
また、上記自動販売機において、
前記排気ファンを、前列の前記商品収納コラムの商品排出通路と後列の前記商品収納コラムの商品排出通路とで別個に設けた構成とすることができる。
【００２０】
この自動販売機によれば、各商品排出通路ごとに排気ファンを設けたので、両方の商品排出通路について、空気を確実に流通させることができる。また、各商品排出通路ごとに独立して空気の流量を制御することができ、例えば前扉の温度変化が大きい場合は前側の商品排出通路の流量を大きくすることができるなど、実用に際して極めて有利である。
【００２１】
また、上記自動販売機において、
前記前扉は中空に形成され、
前記ファン装置は、前記前扉内の空気を流通させる構成とすることができる。
【００２２】
この自動販売機によれば、前扉前面から前扉背面への前扉内の空気を介した熱伝達も抑制される。前扉内の流通空気もエアカーテンとして機能し、これによっても販売機本体側の温度を略一定に保つことができる。さらに、直射日光等により、前扉の前面、内部等が過度に加熱された場合は、前扉の空冷作用をも得ることができる。
【００２３】
また、上記自動販売機において、
前記ファン装置は、前記前扉の背面下側に設置され前記販売機本体内の空気を前記前扉内へ送出する送出ファンを含む構成とすることができる。
【００２４】
この自動販売機によれば、送出ファンにより前扉内へ空気が押し込まれるので、前扉内の空気の流れを安定させることができる。
【００２５】
また、上記自動販売機において、
前記販売機本体の前部開口の少なくとも一部を塞ぐ断熱部材を備えた構成とすることができる。
【００２６】
この自動販売機によれば、前側の商品排出通路に加え、前部開口の少なくとも一部を閉塞する断熱部材によっても商品収納コラムへの伝熱が抑制されることから、これによっても前扉の温度変化に起因する商品収納コラムの温度変化を抑制することができる。
【００２７】
また、上記自動販売機において、
前記販売機本体の少なくとも一面の外側に取り付けられた断熱構造板を備えた構成とすることができる。
【００２８】
この自動販売機によれば、断熱構造板により販売機本体自体の温度変化を抑制することができ、これによっても商品収納コラムの温度変化を抑制することができる。
【００２９】
また、上記自動販売機において、
前記断熱構造板は真空断熱材を含む構成とすることができる。
【００３０】
この自動販売機によれば、真空断熱材により効果的な断熱が図られる。
【発明の効果】
【００３１】
このように、本発明の自動販売機によれば、商品装填時の作業性を損なうことなく、商品収納コラムの温度変化を抑制して収納商品を良好な状態で保存することができ、品質管理性能を向上させることができる。また、商品排出通路を利用して伝熱を抑制するようにしたので、部品点数や製造コストが嵩んだり販売機本体が大型となることもなく、実用に際して極めて有利である。
【発明を実施するための最良の形態】
【００３２】
図１から図５は本発明の一実施形態を示すもので、図１は自動販売機の概略外観斜視図、図２は自動販売機の模式縦断面図、図３は自動販売機の一部分解斜視説明図、図４は前扉を回動させた状態の自動販売機の斜視説明図、図５は自動販売機内の空気の流通経路を示す説明図である。
【００３３】
図１に示すように、この自動販売機１００は、前部を開口した箱状の販売機本体１０２と、販売機本体１０２の前部開口１０２ａ（図４参照）を開閉する前扉１０４と、を備えている。前扉１０４には、商品展示部１０６、紙幣識別装置１０８及び硬貨処理装置１１０が配されるとともに商品取出口１１２が形成される。また、図４に示すように、自動販売機１００は、販売機本体１０２の内部に配された複数の商品収納コラム１１４を備えている。
【００３４】
販売機本体１０２は例えば鋼板等からなり、図３に示すように、販売機本体１０２の右側面、左側面、上面及び背面の外側には、それぞれ断熱構造板１２０が取り付けられる。各断熱構造板１２０は、それぞれ販売機本体１０２の各面のほぼ全領域を覆う。各断熱構造板１２０は、カバー材１２２、断熱シート１２４、真空断熱材１２６、を外側からこの順に有する三層構造となっている。カバー材１２２は、例えば金属等のように内側の水密及び気密が確保されるものが選択される。断熱シート１２４は、例えば樹脂等からなるシート状の断熱材である。また、真空断熱材１２６は、断熱材を芯材とし内部が真空の袋状に形成される。断熱構造板１２０の周縁には防水パッキン１２８が取り付けられる。
【００３５】
また、図２に示すように、自動販売機１００は、販売機本体１０２の前部開口１０２ａの少なくとも一部を塞ぐ断熱部材１３０が備えられる。本実施形態においては、断熱部材１３０は、厚さ寸法が比較的大きい断熱ボード１３２と、厚さ寸法が比較的小さい断熱シート１３４と、からなる。断熱ボード１３２及び断熱シート１３４は、例えば樹脂等の断熱材からなり、材質にもよるが厚みのある分だけ断熱ボード１３２の方が断熱性能に優れている。販売機本体１０２内にて他の機器等によりスペースが確保し難い領域には断熱シート１３４が用いられ、比較的スペースに余裕がある領域には断熱ボード１３２が用いられている。
【００３６】
図２に示すように、各商品収納コラム１１４は、販売機本体１０２内にほぼ隣接して前後２列となるよう配される。図４に示すように、前列の商品収納コラム１１４は前扉１０４に固定され、前扉１０４が販売機本体１０２の前部開口１０２ａを開放すると、前列及び後列の商品収納コラム１１４が互いに離隔し、商品装填が可能となるよう構成されている。各商品収納コラム１１４は、略上下に延びる商品収納部１３６と、商品収納部１３６の下端に設けられる払出装置１３８と、を有する。商品収納部１３６には商品が積層して収納されており、最下位の商品から払出装置１３８により順次払い出される。ここで、複数の商品収納コラム１１４が上下に複数並んでいてもよいし、一の商品収納コラム１１４が販売機本体１０２の高さ方向へわたって延びていてもよい。
【００３７】
図２の矢印に示すように、前列の各商品収納コラム１１４の払出装置１３８は前方へ商品を払い出し、後列の各商品収納コラム１１４の払出装置１３８は後方へ商品を払い出す。これに対応して、前列の各商品収納コラム１１４の商品排出通路１４０は前扉１０４と前列の商品収納コラム１１４との間にて上下へ延びるよう形成されるとともに、後列の各商品収納コラム１１４の商品排出通路１４２は販売機本体１０２の背面と後列の商品収納コラム１１４との間にて上下へ延びるよう形成される。図２に示すように、各商品排出通路１４０，１４２の下側から搬出された商品は、販売機本体１０２内の下部に設置された傾斜板１４４を滑落し、前扉１０４の商品取出口１１２から取出可能な位置に到達する。
【００３８】
また、自動販売機１００は、各商品排出通路１４０，１４２内の空気を、各商品排出通路の下方から上方へ流通させるファン装置を備えている。図２に示すように、ファン装置は、販売機本体１０２の下部に設けられた吸気ファン１５２と、前扉１０４の下部に設けられた送出ファン１５４と、販売機本体１０２の上部に設けられた排気ファン１５６と、を有し、これらの協働により各商品排出通路１４０，１４２内及び前扉１０４内の空気を流通させる。
【００３９】
吸気ファン１５２は、販売機本体１０２の下面に、販売機本体１０２側へ突出するよう設けられる。吸気ファン１５２は、下面のほぼ中央に設置され、販売機本体１０２の外部から空気を吸引する。吸気ファン１５２近傍における空気の流通経路には、脱着自在のエアフィルタが設けられている。ここで、図２に示すように、販売機本体１０２の下面は箱形の袋構造となっており、吸気ファン１５２はこの袋部分を通じて空気を吸引する。
【００４０】
図５に示すように、前扉１０４の下部に設けられた送出ファン１５４は、吸気ファン１５２により外部から吸引した空気を前扉１０４内へ送出する。ここで、前扉１０４は中空であり、内部には商品展示部１０６の商品見本Ｓを支持する支持部１０６ａ等が配されている（図２参照）。図１に示すように、商品展示部１０６は前扉１０４の前面と略面一の透明板１０６ｂを有し、利用者は透明板１０６ｂを通じて商品見本Ｓを視認することができる。この透明板１０６ｂは、例えばアクリル等からなり、背面側に赤外線カットフィルムが貼付されている。また、前扉１０４の背面の上部には、販売機本体１０２内と連通する送出口１０４ａが形成される。
【００４１】
本実施形態においては、排気ファン１５６は、前列の商品収納コラム１１４の商品排出通路１４０と後列の商品収納コラム１１４の商品排出通路１４２とで別個に設けられている。各排気ファン１５６は、販売機本体１０２の上面の左右中央にて前後に並設され、販売機本体１０２内の空気を外部へ送出する。
【００４２】
以上のように構成された自動販売機１００では、商品装填に際し、前扉１０４を販売機本体１０２に対して回動して、販売機本体１０２の前部開口１０２ａを開放させる。このとき、前列の商品収納コラム１１４が前扉１０２とともに移動するので、前列と後列の商品収納コラム１１４が離隔して商品装填が可能な状態となる。これにより、商品の商品収納コラム１１４への装填作業は、各商品収納コラム１１４における各商品排出通路１４０，１４２と反対側を開放して行うことができる。従って、商品装填時の作業性が極めて良好となっている。
【００４３】
また、図２に示すように、前側の商品排出通路１４０が前扉１０４と前列の商品収納コラム１１４との間に形成されたので、前扉１０４と前列の商品収納コラム１１４が商品排出通路１４０の分だけ隔離され、前扉１０４から前列の商品収納コラム１１４への直接的な伝熱が防止される。これにより、外部から前扉１０４に熱量が付与されたり、外部へ前扉１０４から熱量が放出されたりして前扉１０４の温度が変化したとしても、商品収納コラム１１４の温度にさほど影響はない。
さらに、前側の商品排出通路１４０に加え、前部開口１０２ａの一部を閉塞する断熱部材１３０によっても商品収納コラム１１４への伝熱が抑制されることから、これによっても前扉１０４の温度変化に起因する商品収納コラム１１４の温度変化を抑制することができる。
【００４４】
また、後側の商品排出通路１４２が販売機本体１０２の背面と後列の商品収納コラム１１４との間に形成されたので、販売機本体１０２の背面と後列の商品収納コラム１１４も商品排出通路１４２の分だけ隔離され、販売機本体１０２の背面から後列の商品収納コラム１１４への直接的な伝熱が防止される。これにより、外部から販売機本体１０２の背面に熱量が付与されたり、外部へ背面から熱量が放出されたりして背面の温度が変化したとしても、商品収納コラム１１４の温度にさほど影響はない。
さらに、断熱構造板１２０により販売機本体１０２自体の温度変化を抑制することができ、これによっても商品収納コラム１１４の温度変化を抑制することができる。この断熱構造板１２０は真空断熱材１２６を有することから、効果的な断熱が図られる。
【００４５】
これに加え、図５に示すように、ファン装置により各商品排出通路１４０，１４２の空気が流通することから、商品排出通路１４０，１４２内の空気を介した前扉１０４並びに販売機本体１０２の背面と各商品収納コラム１１４との間の熱伝達をも抑制される。すなわち、流通空気がエアカーテンとして機能することから、商品収納コラム１１４側の温度を略一定に保つことができる。さらに、直射日光等により、前扉１０４並びに販売機本体１０２の背面が過度に加熱された場合は、これらの空冷作用をも得ることができる。
【００４６】
ここで、自動販売機１００は屋外に設置されることが多く、屋外にて上部及び側部が直射日光等により加熱されて、前扉１０４及び販売機本体１０２の温度が上昇する。すなわち、自動販売機１００全体として、下方に比して上方の温度が高いことが多い。
このような場合に商品排出通路１４０，１４２内の空気を下方から上方へ流通させることにより、温度の低い領域から高い領域へ空気を流通させることができ、空気と販売機各所とで効率良く熱交換を行うことができる。また、商品排出通路１４０，１４２内にて熱交換により加熱された空気は、比重が小さくなって自然に上方へと向かうことから、この自然対流の流れ方向とファン装置による空気の送出方向とを一致させることにより、ファン装置への負荷を低減することができる。
【００４７】
従って、外界の天候等の影響により、前扉１０４及び販売機本体１０２が加熱又は冷却されたとしても、商品収納コラム１１４の温度変化を抑制することができる。この結果、商品収納コラム１１４内に収納されている商品の温度も大きく変動することはなく、収納商品を良好な状態で保存することができる。すなわち、商品装填時の作業性を損なうことなく、品質管理性能を向上させることができる。また、商品排出通路１４０，１４２を利用して伝熱を抑制するようにしたので、部品点数や製造コストが嵩んだり販売機本体１０２が大型となることもなく、実用に際して極めて有利である。
【００４８】
また、本実施形態の自動販売機１００によれば、図５に示すように、吸気ファン１５２により各商品排出通路１４０，１４２内へ販売機本体１０２の下部外側から空気が導入されて、各排気ファン１５６により販売機本体１０２の上部から外部へ空気が排出される。すなわち、各商品排出通路１４０，１４２の下端側では吸気ファン１５２により空気に流速が付与され、上端側では排気ファン１５６により空気に流速が付与されることから、商品排出通路１４０，１４２内の空気の流れを安定させることができる。
【００４９】
また、各商品排出通路１４０，１４２ごとに排気ファン１５６を設けたので、両方の商品排出通路１４０，１４２について、空気を確実に流通させることができる。また、各商品排出通路１４０，１４２ごとに独立して空気の流量を制御することができ、例えば前扉１０４の温度変化が大きい場合は前側の商品排出通路１４０の流量を大きくすることができるなど、実用に際して極めて有利である。
【００５０】
さらに、吸気ファン１５２の設置箇所から集中的に外部から空気が吸引されるので、吸気ファン１５２の近傍に設置されたエアフィルタにより販売機本体１０２内への塵埃の侵入を阻止することができる。
【００５１】
また、この自動販売機１００によれば、前扉１０４前面から前扉１０４背面への前扉１０４内の空気を介した熱伝達も抑制される。前扉１０４内の流通空気もエアカーテンとして機能し、これによっても販売機本体１０２側の温度を略一定に保つことができる。さらに、直射日光等により、前扉１０４の前面、内部等が過度に加熱された場合は、前扉１０４の空冷作用をも得ることができる。ここで、送出ファン１５４により前扉１０４内へ空気が押し込まれるので、前扉１０４内の空気の流れは安定している。
【００５２】
尚、前記実施形態においては、たばこ用の自動販売機１００に本発明を適用したものを示したが、飲料用、食品用等の自動販売機にも適用可能であることは勿論である。
【００５３】
また、前記実施形態においては、ファン装置が、各商品排出通路１４０，１４２内の空気を下方から上方へ流通させるものを示したが、上方から下方へ流通させるものであってもよい。
また、ファン装置が、販売機本体１０２の下部に設けられた吸気ファン１５２、前扉１０４に設けられた送出ファン１５４及び販売機本体１０２の上部に設けられた各排気ファン１５６を含むものを示したが、ファン装置の構成は任意である。例えば、排気ファン１５６を１つとしたり、吸気ファン１５２を各商品排出通路１４０，１４２ごとに設けたりしてもよい。また、販売機本体１０２の内側から外側、または外側から内側へ空気を流通させる吸気ファン１５２及び排気ファン１５６の他に、販売機本体１０２の内部にて空気を流通させるファンを設けてもよい。さらに、前扉１０４の送出ファン１５４については、前扉１０４内の空気循環の必要がなければ省略してもよい。その他、整流板等の設置も任意である。
【００５４】
また、前記実施形態においては、断熱部材１３０により販売機本体１０２の前部開口１０２ａの一部を塞ぐものを示したが、断熱部材１３０により前部開口１０２ａの全部を塞ぐようにしてもよい。また、断熱部材１３０材質等は任意であり、例えば真空断熱材等を使用してもよい。さらに、自動販売機１００に要求される性能等により、断熱部材１３０を省略することも可能である。
【００５５】
また、前記実施形態においては、販売機本体１０２の右側面、左側面、上面及び背面に断熱構造板１２０を取り付けたものを示したが、少なくとも一面に取り付けられていればよい。さらに、自動販売機１００に要求される性能等により、断熱構造板１２０を省略することも可能である。また、断熱構造板１２０が真空断熱材１２６を含むものを示したが、断熱構造板の構成は任意であるし、その他、具体的な細部構造等についても適宜に変更可能であることは勿論である。
【図面の簡単な説明】
【００５６】
【図１】本発明の一実施形態を示す自動販売機の概略外観斜視図である。
【図２】自動販売機の模式縦断面図である。
【図３】自動販売機の一部分解斜視説明図である。
【図４】前扉を回動させた状態の自動販売機の斜視説明図である。
【図５】自動販売機内の空気の流通経路を示す説明図である。
【符号の説明】
【００５７】
１００    自動販売機
１０２    販売機本体
１０２ａ    前部開口
１０４    前扉
１０４ａ    送出口
１０６    商品展示部
１０６ａ    支持部
１０６ｂ    透明板
１０８    紙幣識別装置
１１０    硬貨処理装置
１１２    商品取出口
１１４    商品収納コラム
１２０    断熱構造板
１２２    カバー材
１２４    断熱シート
１２６    真空断熱材
１２８    防水パッキン
１３０    断熱部材
１３２    断熱ボード
１３４    断熱シート
１３６    商品収納部
１３８    払出装置
１４０    商品排出通路
１４２    商品排出通路
１４４    傾斜板
１５２    吸気ファン
１５４    送出ファン
１５６    排気ファン
Ｓ        商品見本
【図１】
0004846322.tif 000002
【図２】
0004846322.tif 000003
【図３】
0004846322.tif 000004
【図４】
0004846322.tif 000005
【図５】
0004846322.tif 000006